(57)【特許請求の範囲】
【請求項１】
顕微鏡本体に固定される固定部材と、
被調整物が装着され、前記固定部材に対して上下動可能な第１の移動部材と、
前記第１の移動部材を上下動させる粗動機構と、
前記第１の移動部材を保持し、その保持状態で前記固定部材に対して上下動可能な第２の移動部材と、
前記第２の移動部材を上下動させる微動機構と
を備え、
前記粗動機構は、粗動操作部と、この操作部に一体的に設けられ、その中心軸と偏心した突起と、前記固定部材に軸を介して回転可能に支持された前記第１の移動部材に設けられ、前記突起と係合する溝とを有し、
前記微動機構は、微動操作部と、この操作部に一体に設けられ、前記粗動操作部に回転力を与えて前記第２の移動部材を回転させる軸とを有する
ことを特徴とする調整用粗微動装置を有する顕微鏡。
【請求項２】
顕微鏡本体に固定される固定部材と、
被調整物が装着され、前記固定部材に対して上下動可能な第１の移動部材と、
前記第１の移動部材を上下動させる粗動機構と、
前記第１の移動部材を保持し、その保持状態で前記固定部材に対して上下動可能な第２の移動部材と、
前記第２の移動部材を上下動させる微動機構と
を備え、
前記粗動機構は、粗動操作部と、この操作部に一体的に設けられ、その中心軸と偏心した突起と、前記固定部材に板ばねを介して支持された前記第１の移動部材に設けられ、前記突起と係合する溝とを有し、
前記微動機構は、微動操作部と、この操作部に一体に設けられ、前記粗動操作部に回転力を与えて前記第２の移動部材を回転させる軸とを有する
ことを特徴とする調整用粗微動装置を有する顕微鏡。
【請求項３】
前記微動操作部の軸の直線運動を前記第１の移動部材の上下運動に変換する傾斜面が前記第２の移動部材に形成されていることを特徴とする請求項１又は２に記載の調整用粗微動装置を有する顕微鏡。
【請求項４】
前記顕微鏡本体はベースと支柱とアームとを備え、前記ベース内に調整用粗微動装置を収容していることを特徴とする請求項１〜３のいずれか１項に記載の調整用粗微動装置を有する顕微鏡。
【発明の詳細な説明】
【０００１】
【発明の属する技術分野】
この発明は調整用粗微動装置を有する顕微鏡に関する。
【０００２】
【従来の技術】
従来、センサや光学部材の調整に用いられる調整用粗微動装置にはガイド、ねじ又はギア等の組み合わせによる減速機構が用いられていた。
【０００３】
図１１は従来の調整用粗微動装置の側面図である。
【０００４】
この調整用粗微動装置５２０は顕微鏡のステージに載置された被観察物に焦点を合わせるために用いられる。
【０００５】
調整用粗微動装置５２０は、平行に配置された２つの固定部材５３０ａ、５３０ｂと、これらの固定部材５３０ａ，５３０ｂを連結するガイド棒５６０，５６１と、固定部材５３０ａ，５３０ｂ間に回転可能に渡された送りねじ５９２と、固定部材５３０ａ，５３０ｂ間に配置され、送りねじ５９２に螺合された移動部材５４０とを備えている。
【０００６】
送りねじ５９２にはハンドル５９０が取り付けられ、このハンドル５９０を回転させることによって移動部材５４０が上下方向へ移動する。
【０００７】
移動部材５４０にはフォトインタラプタ５０６が設けられている。フォトインタラプタ５０６は例えば顕微鏡のステージを上下させる上下動部（図示せず）に設けられた遮光板５０７によってフォトインタラプタ５０６の上下方向の位置を調整する。
【０００８】
【発明が解決しようとする課題】
しかし、この調整用粗微動装置５２０では、減速比が大きいときにはフォトインタラプタ５０６を大きく移動させることができず、ハンドル５９０を数多く回転させなければならず、調整に多くの時間がかかってしまう。
【０００９】
逆に、減速比が小さいときにはフォトインタラプタ５０６を大きく移動させることはできるが、細かく移動させることができず、微調整が難しくなる。
【００１０】
そのため、この顕微鏡は使い勝手の悪いものであった。
【００１１】
また、顕微鏡本体に装着するとき、調整のためのハンドル５９０が上部にあるため顕微鏡本体に外付けしなければならず、大型化してしまう。
【００１２】
この発明はこのような事情に鑑みてなされたもので、その課題は使い勝手がよく、しかも小型の調整用粗微動装置を有する顕微鏡を提供することである。
【００１７】
【課題を解決するための手段】
上記課題を解決するため請求項１記載の発明は、顕微鏡本体に固定される固定部材と、被調整物が装着され、前記固定部材に対して上下動可能な第１の移動部材と、前記第１の移動部材を上下動させる粗動機構と、前記第１の移動部材を保持し、その保持状態で前記固定部材に対して上下動可能な第２の移動部材と、前記第２の移動部材を上下動させる微動機構とを備え、前記粗動機構は、粗動操作部と、この操作部に一体的に設けられ、その中心軸と偏心した突起と、前記固定部材に軸を介して回転可能に支持された前記第１の移動部材に設けられ、前記突起と係合する溝とを有し、前記微動機構は、微動操作部と、この操作部に一体に設けられ、前記粗動操作部に回転力を与えて前記第２の移動部材を回転させる軸とを有することを特徴とする。
【００１８】
粗動機構によって被調整物が装着された第１の移動部材を大きく移動させ、微動機構によって第１の移動部材を保持した状態で第２の移動部材を細かく移動させて、位置合わせを行なう。粗動操作部を操作したとき、第１の移動部材に設けられた溝と係合する軸を中心として第２の移動部材が回転して、第２の移動部材の先端部が上下動する。また、微動操作部を操作したとき、軸を中心として第１の移動部材に回転力を与え、第１の移動部材の先端部を上下動させる。
【００１９】
請求項２記載の発明は、顕微鏡本体に固定される固定部材と、被調整物が装着され、前記固定部材に対して上下動可能な第１の移動部材と、前記第１の移動部材を上下動させる粗動機構と、前記第１の移動部材を保持し、その保持状態で前記固定部材に対して上下動可能な第２の移動部材と、前記第２の移動部材を上下動させる微動機構とを備え、前記粗動機構は、粗動操作部と、この操作部に一体的に設けられ、その中心軸と偏心した突起と、前記固定部材に板ばねを介して支持された前記第１の移動部材に設けられ、前記突起と係合する溝とを有し、前記微動機構は、微動操作部と、この操作部に一体に設けられ、前記粗動操作部に回転力を与えて前記第２の移動部材を回転させる軸とを有することを特徴とする。
【００２０】
粗動機構によって被調整物が装着された第１の移動部材を大きく移動させ、微動機構によって第１の移動部材を保持した状態で第２の移動部材を細かく移動させて、位置合わせを行なう。粗動操作部を操作したとき、第１の移動部材に設けられた溝と係合する軸によって第２の移動部材の先端部が上下動する。また、微動操作部を操作したとき、軸を中心として第１の移動部材に軸が回転力を与え、第１の移動部材の先端部を上下動させる。
【００２１】
請求項３記載の発明は、請求項１又は２に記載の調整用粗微動装置を有する顕微鏡において、前記微動操作部の軸の直線運動を前記第１の移動部材の上下運動に変換する傾斜面が前記第２の移動部材に形成されていることを特徴とする。
【００２２】
微動操作部を粗動操作部と同じ側面に配置することができる。
【００２３】
請求項４記載の発明は、請求項１〜３のいずれか１項に記載の調整用粗微動装置を有する顕微鏡において、前記顕微鏡本体はベースと支柱とアームとを備え、前記ベース内に調整用粗微動装置を収容していることを特徴とする。
【００２４】
調整用粗微動装置をベース内に収容したので、外観がすっきりする。
【００２５】
【発明の実施の形態】
以下、この発明の実施の形態を図面に基づいて説明する。
【００２６】
図１はこの発明の第１実施形態に係る調整用粗微動装置を有する顕微鏡の一部を破断して示した側面図、図２は一部を破断して示した図１のII−II線に沿った拡大断面図である。
【００２７】
この顕微鏡は、顕微鏡本体１０と、鏡筒１１と、レボルバ１２と、ステージ１３と、上下動ハンドル１４と、調整用粗微動装置２０とを備える。
【００２８】
顕微鏡本体１０は、ベース１０Ａと、支柱１０Ｂと、アーム１０Ｃとを備える。ベース１０Ａ内には調整用粗微動装置２０が収容されている。ベース１０Ａには調整用粗微動装置２０の粗動ハンドル（粗動操作部）７０及び微動ハンドル（微動操作部）８０に対応する孔１５ａ，１５ｂが形成されている。
【００２９】
鏡筒１１はアーム１０Ｃの上部に取り付けられ、接眼レンズ１１ａを有する。
【００３０】
レボルバ１２はアーム１０Ｃの下面に取り付けられた固定部材１２ａと、この固定部材１２ａに回転可能に取り付けられた回転部１２ｂとで構成され、回転部１２ｂには複数の対物レンズ５が装着されている。
【００３１】
上下動ハンドル１４はベース１０Ａに設けられている。ハンドル１４を操作すると、モータ回路（図示せず）によって駆動される上下動部１６がハンドル１４の操作に連動してステージ１３を上下方向へ移動させる。
【００３２】
上下動部材１６にはフォトインタラプタ６の位置を調整するための遮光板７がビス７ａで取り付けられている。遮光板７がフォトインタラプタ６を横切ったときを上限位置としてモータ回路を停止させる。
【００３３】
図３は調整用粗微動装置の正面図、図４はその背面図、図５は図３のV−V線に沿った断面図、図６は図３のVI−VI線に沿った断面図である。
【００３４】
調整用粗微動装置２０は、固定部材３０と、粗動移動部材（第１の移動部材）４０と、微小移動部材（第２の移動部材）５０と、ガイド棒（ガイド部材）６０，６１と、粗動ハンドル７０と、微動ハンドル８０とを備える。
【００３５】
固定部材３０にはガイド棒６０，６１が固定されており、このガイド棒６０，６１には粗動移動部材４０及び微小移動部材５０が上下方向へ移動可能に支持されている。
【００３６】
微小移動部材５０は粗動移動部材４０を保持した状態でガイド棒６０，６１に沿って上下方向へ移動する。微小移動部材５０の下端には斜面部５１が形成されている。
【００３７】
また、固定部材３０には微動ハンドル８０を備えた軸８１が螺合している。軸８１は微動ハンドル８０の中心部に一体に設けられ、軸８１には固定部材３０の雌ねじ３１と螺合する雄ねじ８２が形成されている。軸８１の先端は微小移動部材５０の斜面部５１に当接している。
【００３８】
微動ハンドル８０と軸８１と傾斜面５１とで特許請求の範囲の微動機構が構成される。
【００３９】
なお、ガイド棒６０には微小移動部材５０の上昇を制限する制限部材６２が設けられている。
【００４０】
また、固定部材３０に固定されたねじ３３と粗動移動部材４０に固定されたねじ４３との間には引張ばね８が渡され、この引張ばね８によって粗動移動部材４０が常時下方へ付勢されている。
【００４１】
粗動移動部材４０の先端にはフォトインタラプタ６が取り付けられている。
【００４２】
フォトインタラプタ６は送光部６ａと受光部６ｂとを備え、送光部６ａと受光部６ｂとの間には遮光板７が配置されている。フォトインタラプタ６は受光部６ｂで検出される電流の変化によって遮光板７を検出する。
【００４３】
また、微小移動部材５０には粗動ハンドル７０が粗動ハンドル固定部材７１によって固定されている。
【００４４】
この粗動ハンドル固定部材７１には粗動ハンドル固定部材７１の中心軸７３と偏心したピン（突起）７２が設けられている。このピン７２は粗動移動部材４０に形成された溝４２に係合している。溝４２は微小移動部材５０の前後方向に形成されている。
【００４５】
粗動ハンドル７０とピン７２と溝４２とで特許請求の範囲の粗動機構が構成される。
【００４６】
粗動ハンドル７０を回転させたとき、ピン７２が溝４２に係合しているので、粗動移動部材４０がピン７２の移動によってガイド棒６０，６１に沿って大きく上下方向へ移動する。粗動ハンドル７０を回転させたときの粗動移動部材４０の移動量は中心軸７３の軸中心とピン７２の軸中心との間の距離によって決まる。
【００４７】
また、微動ハンドル８０を回転させたとき、軸８１が前後方向へ移動する。軸８１の先端部が微小移動部材５０の傾斜面５１に当接しているので、軸８１の移動にしたがって微小移動部材５０が粗動移動部材４０とともにガイド棒６０，６１に沿って細かく上下方向へ移動する。微動ハンドル８０を回転させたときの粗動移動部材４０の移動量は軸８１に形成された雄ねじ８２のピッチによって決まる。
【００４８】
この実施形態によれば、粗動ハンドル７０によって粗動移動部材４０を迅速に移動させ、微動ハンドル８０によって粗動移動部材４０を細かく移動させることができるので、ステージ１３に載置される標本の厚みに応じて上下動部材１６の上限位置を速やかに調整することができ、使い勝手が向上する。
【００４９】
また、顕微鏡のベース１０Ａに調整用粗微動装置２０が収容されるので、顕微鏡の小型化を図ることができる。
【００５０】
図７はこの発明の第２実施形態に係る調整用粗微動装置の正面図、図８はその背面図、図９は図７のIX−IX線に沿った断面図である。
【００５１】
調整用粗微動装置１２０は、固定部材１３０と、粗動移動部材（第１の移動部材）１４０と、微小角度移動部材（第２の移動部材）１５０と、粗動ハンドル（粗動操作部）１７０と、微動ハンドル（微動操作部）１８０とを備える。
【００５２】
固定部材１３０には回転固定軸１６０を介して粗動移動部材１４０の一端が回転可能に支持されている。
【００５３】
粗動移動部材１４０の他端にはフォトインタラプタ６が取り付けられている。
フォトインタラプタ６は遮光板７で遮光可能な位置に取り付けられている。
【００５４】
粗動移動部材１４０の中間部には長手方向に延びる溝１４２が形成されている。
【００５５】
固定部材１３０には粗動ハンドル固定部材１７１、微小角度移動部材１７５及び微小角度移動部材１５０を介して粗動ハンドル１７０が取り付けられている。
微小角度移動部材１５０は微小角度移動部材１７５と一体に形成されている。
【００５６】
この微小角度移動部材１７５及び微小角度移動部材１５０は粗動ハンドル１７０の中心軸１７３を中心にして粗動ハンドル１７０とともに回転可能である。
【００５７】
この粗動ハンドル固定部材１７１には粗動ハンドル固定部材１７１の中心軸１７３と偏心したピン（突起）１７２が設けられている。このピン１７２は粗動移動部材１４０に形成された溝１４２に係合している。
【００５８】
粗動ハンドル１７０とピン１７２と溝１４２とで特許請求の範囲の粗動機構が構成される。
【００５９】
固定部材１３０には微動ハンドル１８０を備えた軸１８１が螺合している。軸１８１は微動ハンドル１８０の中心部に一体に設けられ、軸１８１には固定部材１３０の雌ねじ１３１と螺合する雄ねじ１８２が形成されている。
【００６０】
軸１８１の先端は微小角度移動部材１５０の端部に形成された当接面１５１に、引張ばね１０８の弾性力によって押し付けられている。
【００６１】
微動ハンドル１８０と軸１８１とで特許請求の範囲の微動機構が構成される。
【００６２】
なお、固定部材１３０には微小角度移動部材１５０の回転を制限する制限ピン１５５，１５６が設けられている。
【００６３】
粗動ハンドル１７０を回転させたとき、ピン１７２が溝１４２に係合しているので、粗動移動部材１４０がピン１７２によって大きく上下方向へ移動する。このとき、フォトインタラプタ５は弧を描いて上下方向へ移動する（図７又は図８参照）。粗動ハンドル１７０を回転させたときの粗動移動部材１４０の移動量は中心軸１７３の軸中心とピン１７２の軸中心との間の距離によって決まる。
【００６４】
また、微動ハンドル１８０を回転させたとき、軸１８１が上下方向へ移動する。軸１８１の先端部が微小角度移動部材１５０の当接面１５１に当接しているので、軸１８１の移動にしたがって微小角度移動部材１５０が中心軸１７３を中心として回転し、ピン１７２を介して粗動移動部材１４０が細かく上下方向へ移動する。このとき、粗動移動部材１４０の回転固定軸１６０から遠い位置にあるので、フォトインタラプタ５はほぼ直線的に移動する。微動ハンドル１８０を回転させたときの粗動移動部材１４０の移動量は軸１８１に形成された雄ねじのピッチによって決まる。
【００６５】
この実施形態によれば、粗動ハンドル１７０によって粗動移動部材１４０を迅速に移動させ、微動ハンドル１８０によって粗動移動部材１４０を細かく移動させることができるので、迅速に粗動移動部材１４０（フォトインタラプタ５）の位置を調整することができ、使い勝手が向上する。
【００６６】
また、当接面１５１を傾斜面とした場合には、微動ハンドル１８０を粗動ハンドル１７０と同じ側面に配置することができるので、顕微鏡のベース１０Ａに調整用粗微動装置１２０を収容することができ、顕微鏡の小型化を図ることができる。
【００６７】
図１０はこの発明の第３実施形態に係る調整用粗微動装置の背面図であり、第２実施形態と同一部分には同一符合を付してその説明を省略する。
【００６８】
この調整用粗微動装置２２０は、粗動移動部材（第１の移動部材）２４０を平行に配置された同寸法の２枚の板ばね２４５，２４６を用いて固定部材２３０に固定した点で第２実施形態と異なる。
【００６９】
粗動移動部材２４０の一端にはフォトインタラプタ６が取り付けられ、他端には板ばね２４５，２４６の一端がビス２４７で取り付けられている。板ばね２４５，２４６の他端はビス２４８によって２３０に固定されている。
【００７０】
粗動移動部材２４０の中間部には長手方向に延びる溝２４２が形成されている。
【００７１】
粗動ハンドル１７０を回転させたとき、ピン１７２が溝２４２に係合しているので、粗動移動部材２４０がピン１７２によって大きく上下方向へ移動する。このとき、平行な板ばね２４５，２４６を用いたので、粗動ハンドル１７０を回転させたとき、粗動移動部材２４０は平行移動し、フォトインタラプタ６が直線的に上下方向へ移動する（図１０参照）。粗動ハンドル１７０を回転させたときの粗動移動部材２４０の移動量は中心軸１７３の軸中心とピン１７２の軸中心との間の距離によって決まる。
【００７２】
また、微動ハンドル１８０を回転させたとき、軸１８１が上下方向へ移動する。軸１８１の先端部が微小角度移動部材１５０の当接面１５１に当接しているので、軸１８１の移動にしたがって微小角度移動部材１５０が中心軸１７３を中心として回転し、ピン１７２を介して粗動移動部材１４０が細かく上下方向へ移動する。このとき、フォトインタラプタ６が直線的に上下方向へ移動する（図１０参照）。微動ハンドル１８０を回転させたときの粗動移動部材２４０の移動量は軸１８１に形成された雄ねじ１８２のピッチによって決まる。
【００７３】
この実施形態によれば、粗動ハンドル１７０によって粗動移動部材２４０を迅速に移動させ、微動ハンドル１８０によって粗動移動部材２４０を細かく移動させることができるので、迅速に粗動移動部材２４０（フォトインタラプタ６）の位置を調整することができ、使い勝手が向上する。
【００７４】
また、フォトインタラプタ６を直線的に上下方向へ移動させることができるので、第２実施形態よりフォトインタラプタ６の取付位置の制限を受けない。
【００７５】
また、当接面１５１を傾斜面とした場合には、微動ハンドル１８０を粗動ハンドル１７０と同じ側面に配置することができるので、顕微鏡のベース１０Ａに調整用粗微動装置２２０を収容することができ、顕微鏡の小型化を図ることができる。
【００７６】
なお、上記各実施形態では、遮光板７の検出を光センサであるフォトインタラプタ６で行ったが、レンズやミラー等の光学部品によって行ってもよいことは勿論である。
【００７７】
【発明の効果】
以上に説明したように請求項１に記載の発明の調整用粗微動装置を有する顕微鏡によれば、第２の移動部材の迅速な位置決めを行なうことができ、使い勝手が向上する。また、ガイド部材がない分だけ上下方向の寸法を小さくできる。
【００８０】
請求項２に記載の発明の調整用粗微動装置を有する顕微鏡によれば、第２の移動部材の迅速な位置決めを行なうことができ、使い勝手が向上する。また、上下方向の寸法を小さくできるとともに、第２の移動部材を固定部材に対して平行に移動させることができる。
【００８１】
請求項３に記載の発明の調整用粗微動装置を有する顕微鏡によれば、第１の移動部材及び第２の移動部材の移動させる操作部を側面に配置することができ、調整用粗微動装置を顕微鏡に収容して側面から第２の移動部材の位置決めを行なうことができるとともに、顕微鏡の小型化を図ることができる。
【００８２】
請求項４に記載の発明の調整用粗微動装置を有する顕微鏡によれば、外観をすっきりさせることができる。
【図面の簡単な説明】
【図１】図１はこの発明の第１実施形態に係る調整用粗微動装置を有する顕微鏡の一部を破断して示した側面図である。
【図２】図２は一部を破断して示した図１のII−II線に沿った拡大断面図である。
【図３】図３は調整用粗微動装置の正面図である。
【図４】図４は調整用粗微動装置の背面図である。
【図５】図５は図３のV−V線に沿った断面図である。
【図６】図６は図３のVI−VI線に沿った断面図である。
【図７】図７はこの発明の第２実施形態に係る調整用粗微動装置の正面図である。
【図８】図８は第２実施形態に係る調整用粗微動装置の背面図である。
【図９】図９は図７のIX−IX線に沿った断面図である。
【図１０】図１０はこの発明の第３実施形態に係る調整用粗微動装置の背面図である。
【図１１】図１１は従来の調整用粗微動装置の側面図である。
【符号の説明】
１０  顕微鏡本体
１０Ａ  ベース
１０Ｂ  支柱
１０Ｃ  アーム
２０，１２０，２２０  調整用粗微動装置
３０，１３０，２３０  固定部材
４０，１４０，２４０  粗動移動部材（第１の移動部材）
５０  微小移動部材（第２の移動部材）
５１  傾斜面
５２，１４２，２４２  溝
６０，６１  ガイド棒（ガイド部材）
７０，１７０  粗動ハンドル（粗動操作部）
７２，１７２  ピン（突起）
７３，１７３  中心軸
８０，１８０  微動ハンドル（微動操作部）
８１，１８１  軸
１５０  微小角度移動部材（第２の移動部材）
１６０  回転固定軸
２４５，２４６  板ばね
【図１】
0004573073.tif 000002
【図２】
0004573073.tif 000003
【図３】
0004573073.tif 000004
【図４】
0004573073.tif 000005
【図５】
0004573073.tif 000006
【図６】
0004573073.tif 000007
【図７】
0004573073.tif 000008
【図８】
0004573073.tif 000009
【図９】
0004573073.tif 000010
【図１０】
0004573073.tif 000011
【図１１】
0004573073.tif 000012